(57)【要約】【課題】パソコンなどの情報処理装置は、小型になってきたが、ノートサイズであり、さらに小型化が望まれている。ノートパソコンは、ディスプレイの大きさにより、小型化に限界があり、ＰＤＡ、携帯電話などの、情報端末は、小型ディスプレイを使用することにより小型になっているが、表示機能が制限されている。持ち運びが楽で、かつ、表示機能が制限されないパソコンが望まれている。【解決手段】無線通信により入力手段と結合して、入力情報に従って情報処理を行い、処理結果を出力制御手段によりディスプレイ装置に出力するようにした情報処理装置であって、ディスプレイ装置に装着し、ディスプレイから着脱可能にした情報処理装置とする。情報を格納する情報格納手段をさらに設け、情報処理装置は、無線通信により、情報格納手段との間で情報を送受信する。【選択図】  図１
2004246634.tif 000002
【特許請求の範囲】
【請求項１】
ディスプレイ装置に装着され、当該ディスプレイ装置から着脱可能な情報処理装置であって、
入力手段から入力情報を受信する無線通信手段と、
前記入力情報を処理する処理手段と、
前記処理手段における処理結果を前記ディスプレイ装置に出力する出力制御手段を具備する情報処理装置。
【請求項２】
情報を格納している情報格納手段をさらに具備する請求項１記載の情報処理装置。
【請求項３】
前記情報格納手段が請求項２記載の情報処理装置から分離されており、
前記情報格納手段を具備する情報格納装置は第二の無線通信手段をさらに具備し、前記情報格納手段と前記処理手段は、前記第二の無線通信手段と前記無線通信手段により情報を送受信する請求項２記載の情報処理装置。
【請求項４】
前記入力手段または前記情報格納手段との情報の送受信を、インターネットを介して行う請求項１から請求項３いずれか記載の情報処理装置。
【請求項５】
請求項３記載の情報処理装置を構成する情報格納手段を具備する情報格納装置。
【請求項６】
情報格納装置が格納しているマルチメディア情報と当該マルチメディア情報の属性値を読み出して処理し、
前記マルチメディア情報と前記属性値を送信する送信先の装置が異なる情報処理装置。
【請求項７】
前記マルチメディア情報は音楽情報であり、前記属性値は音楽情報の属性値であり、前記マルチメディア情報を、電気音響変換器を有する音声再生装置に送信し、前記属性値を、ディスプレイを有する表示操作装置に送信する請求項６記載の情報処理装置。
【請求項８】
前記マルチメディア情報をエンコードした後に送信する請求項６または請求項７いずれか記載の情報処理装置。
【請求項９】
前記マルチメディア情報をデコードした後に送信する請求項６または請求項７いずれか記載の情報処理装置。
【発明の詳細な説明】
【０００１】
【発明の属する技術分野】
本発明は、情報処理装置と情報処理装置用の情報格納装置に関し、無線通信により使い勝手をよくした情報処理装置、および、情報格納装置等に関する。
【０００２】
【従来の技術】
従来、無線ＬＡＮ方式による各種情報端末や情報関連機器の接続、ＰＨＳ方式によるインターネット接続、Ｂｌｕｅｔｏｏｔｈ方式による近接通信、無線イーサネット（イーサネットは富士ゼロツクス株式会社の登録商標。）など、各種の無線通信による機器間の接続や回線接続が可能になり、広く普及しようしている。一方、パソコンなどの情報処理装置は、小型になってきたが、ノートサイズであり、さらに小型化が望まれている。
【０００３】
【発明が解決しようとする課題】
ノートパソコンは、ディスプレイの大きさがさほど小さくないので、小型化に限界がある。ＰＤＡや携帯電話などの情報端末は、小型ディスプレイを使用することにより小型になっているが、表示機能が制限されている。小型、薄型で、持ち運びが楽で、かつ、表示機能が制限されないパソコンが望まれている。
【０００４】
【課題を解決するための手段】
上記の課題を解決するために、本発明の情報処理装置および情報処理装置用の情報格納装置は、以下のような手段を採用する。
【０００５】
（１）ディスプレイ装置に装着され、当該ディスプレイ装置から着脱可能な情報処理装置であって、入力手段から入力情報を受信する無線通信手段と、入力情報を処理する処理手段と、処理手段における処理結果をディスプレイ装置に出力する出力制御手段を具備する情報処理装置とする。
【０００６】
（２）上記（１）項において、情報を格納している情報格納手段をさらに具備する情報処理装置とする。
【０００７】
（３）上記（２）項において、情報格納手段が（２）記載の情報処理装置から分離されており、情報格納手段を具備する情報格納装置は第二の無線通信手段をさらに具備し、情報格納手段と処理手段は、第二の無線通信手段と無線通信手段により情報を送受信する情報処理装置とする。
【０００８】
（４）上記（３）項の情報処理装置を構成する情報格納手段を具備する情報格納装置とする。
【０００９】
（５）情報格納装置が格納しているマルチメディア情報と当該マルチメディア情報の属性値を読み出して処理し、マルチメディア情報と属性値を送信する送信先の装置が異なる情報処理装置とする。
【００１０】
（６）上記（５）項において、マルチメディア情報は音楽情報であり、属性値は音楽情報の属性値であり、マルチメディア情報を、電気音響変換器を有する音声再生装置に送信し、属性値を、ディスプレイを有する表示操作装置に送信する情報処理装置とする。
【００１１】
（７）上記（５）、（６）項いずれかの記載において、マルチメディア情報をエンコードした後に送信する情報処理装置とする。
【００１２】
（８）上記（５）、（６）項いずれかの記載において、マルチメディア情報をデコードした後に送信する情報処理装置とする。
【００１３】
【発明の実施の形態】
以下、本発明の情報処理装置および情報処理装置用の情報格納装置の実施の形態について、図面を参照しながら説明する。なお、実施の形態において同じ符号を付した構成要素は同様の動作を行うので、再度の説明を省略する場合がある。
【００１４】
（実施の形態１）
図１は、本発明の第１の実施の形態を説明する構成図である。図１において、１０は液晶パネルを備えたディスプレイ装置、１１は本発明の情報処理装置、１２は入力装置であるキーボード、１３は本発明の情報格納装置、１４は第２の入力装置であるマウスである。情報処理装置１１は、ディスプレイ装置１０に着脱可能であり、コネクタにより、ディスプレイ装置１０に結合されている。情報処理装置１１は、無線通信手段を備えており、入力装置１２からの入力情報は、無線通信により、情報処理装置１１に送られる。入力装置１４のマウスの操作情報は、無線通信により、情報処理装置１１に送られる。ＨＤＤのような大容量メモリを備えた情報格納装置１３と情報処理装置１１の間は、無線通信により結合されている。
【００１５】
図２は、第１の実施の形態における本発明の情報処理装置と情報格納装置を含む各装置の構成を説明するブロック図である。図２において、本発明の情報処理装置１１は、処理手段２１２、第１無線通信手段２１１、および、出力制御手段であるディスプレイインタフェース２１３を備えている。入力装置１２は、入力手段２２２と第２無線通信手段２２１を備えており、典型的には、ワイヤレス型のキーボードである。情報格納装置１３は、第３無線通信手段２３１と情報格納手段２３２を備えた本発明の情報格納装置である。処理手段２１２は、ＣＰＵ、ＲＯＭ、ＲＡＭを備えたコンピュータであり、ＲＯＭやＲＡＭには、情報処理プログラムが格納され、所望の情報処理が行える。ＲＡＭは主記憶手段としても使用される。ＲＡＭに、電源が切断されても記憶内容が消えないタイプのＥＥＰＲＯＭのような読み書きメモリを併設してもよい。入力手段２２２から、情報処理の指令が入力されると、第２無線通信手段２２１と第１無線通信手段２１１を介して、前記指令が処理手段２１２に与えられ、処理手段２１２は、前記指令に従って情報処理を行う。指令の内容、処理過程、処理結果は、必要に応じて、ディスプレイインタフェース２１３を介して、ディスプレイ装置１０に表示される。処理手段２１２が、ＲＯＭやＲＡＭにないデータやプログラムを必要とするときや、処理したデータを大量に保存するときは、処理手段２１２は、第１無線通信手段２１１と第３無線通信手段２３１を介して、情報格納手段２３２との間で、必要なデータやプログラムのやり取りを行う。
【００１６】
第１無線通信手段２１１、第２無線通信手段２２１、第３無線通信手段２３１は、ＰＨＳの規格に準拠した無線通信、ＩＥＥＥ８０２．１１ｂ無線ＬＡＮ規格に準拠した通信、Ｂｌｕｅｔｏｏｔｈ通信、ＩＥＥＥ８０２．１５無線通信などを使用する。
【００１７】
本発明の情報処理装置１１は、ディスプレイ装置１０に着脱可能としたので、小型にでき、持ち運びが容易になる。入力装置１２と無線通信により結合するので、情報処理装置１１には、キーボードのような大型の入力装置１２を組み込む必要がなく、さらに小型化が容易になる。ディスプレイ装置１０や入力装置１２は標準の大きさのものを使用できるので、ノートパソコンやＰＤＡに比べて、作業効率がよい。本発明の情報処理装置１１が着脱可能になっているディスプレイ装置１０と、無線通信により情報処理装置１１に結合できる入力装置１２が設置されている場所に行けば、情報処理装置１１の所有者は、所望の情報処理を行うことができる。情報処理装置１１を所有者が手元に保管できるので、オフィスなどにおける盗難の危険性がない。
【００１８】
また、情報処理装置１１は、複数種類の無線通信手段を実装しても良い。キーボードがＢｌｕｅｔｏｏｔｈ通信、マウスが無線ＬＡＮ、インターネットにアクセスする場合に利用する通信手段がＰＨＳである場合もあり得るからである。なお、インターネットにアクセスする場合を考慮するのは、情報処理装置１１が直接、インターネットにアクセスする機能を有する場合があるからである。
【００１９】
情報処理装置１１の中に、情報格納手段として、大容量の記憶装置、例えば、小型のＨＤＤを備えてもよい。
【００２０】
図１、図２の構成のように、情報処理装置１１と分離した情報格納装置１３を用いると、情報格納装置１３の増設が容易になる。情報格納装置１３のみを持ち歩き、情報を取得し、その後で、情報処理装置１１により、情報処理を行うような使い方もできる。
【００２１】
情報処理装置１１とディスプレイ装置１０との間の結合も無線通信で行ってもよい。入力装置としては、図１に示したワイヤレスのマウスを使用してもよい。
【００２２】
情報処理装置１１は、内部に電源を備えてもよい。あるいは、ディスプレイ装置１０が、電源電力を供給するようにしてもよい。情報処理装置１１内部に、ＲＡＭを使用する場合、バックアップ電源を備えて、情報処理装置１１の保管時に、内部のデータが消えないようにしてもよい。
【００２３】
以上、本実施の形態によれば、入力装置と情報処理装置と情報格納装置が無線で接続されることでコネクタレス（電源は燃料電池等も含む）のパソコン本体が構築できる。そのために、パソコンの小型化が可能になり、ポータブル性や拡張性が向上し、使用場所や環境の制約が問題とならない。
【００２４】
なお、本実施の形態において、情報処理装置は、インターネットにも接続され得ることは言うまでもない。かかることは、他の実施の形態においても同様である。
【００２５】
また、本実施の形態において、図５に示すように、情報処理装置と、入力装置または／および情報格納装置はインターネットを介して接続されても良い。つまり、情報処理装置は、入力手段または情報格納手段との情報の送受信を、インターネットを介して行う。また、図６に示すように、情報処理装置とディスプレイ装置もインターネットなどのネットワークを介して接続されても良い。かかる構成により、遠隔における協調作業の支援が可能となる。具体的には、Ａ地点のキーボードで打ち込んだ情報と、Ｂ地点のマウスで指示した命令がＣ地点の情報処理装置で処理され、その結果をＤ地点のディスプレイ装置に出力できる。
【００２６】
（実施の形態２）
図３は、本発明の第２の実施の形態を説明する図である。図３において、情報格納装置３３は、マルチメディア情報と当該マルチメディア情報の属性値を格納している。マルチメディア情報は、一例として、音楽信号をデジタル化したデータであって、複数の曲より成る音楽情報である。属性値は音楽情報の属性値であり、例えば、前記複数の曲のタイトルと曲番号である。
【００２７】
なお、マルチメディア情報は、情報格納装置３３から着脱可能な記録媒体に記録されていても良い。また、マルチメディア情報は、インターネット等を介して取得した情報でも良い。
【００２８】
本発明の情報処理装置３１は、情報格納装置３３が格納している前記マルチメディア情報とマルチメディア情報の属性値を読み出し、それぞれ異なる装置に送信することができる。まず、マルチメディア情報を音声再生装置３４に送信することができる。また、マルチメディア情報の属性値を、表示操作装置３２に送信することができる。電池３５は、情報処理装置３１と情報格納装置３３のための電源である。表示操作装置３２は、受け取ったマルチメディア情報の属性値を、ディスプレイ上に表示する。すなわち、曲番号と音楽のタイトルが、曲目表の形で表示される。使用者が、表示操作装置３２上に設けられた操作ボタンにより、所望の曲番号を選択すると、表示操作装置３２は、選択された属性値あるいはその一部を、情報処理装置３１に送る。情報処理装置３１は、受信した属性値に対応する曲のマルチメディア情報を音声再生装置３４に送る。音声再生装置３４は、耳掛け式のイヤフォンであって、送られてくる音楽情報を再生する。
【００２９】
図４は、図３において説明した第２の実施の形態における各装置の構成を示すブロック図である。情報処理装置３１は、第１無線通信手段３１１、処理手段３１２、インタフェース手段３１３を備える。処理手段３１２は、ＣＰＵ、ＲＯＭ、ＲＡＭを内蔵するコンピュータである。情報格納装置３３は、インタフェース手段３３１、情報格納手段３３２を備える。表示操作装置３２は、第２無線通信手段３２１、入力手段３２２、ディスプレイ手段３２３を備える。音声再生装置３４は、第３無線通信手段３４１、音声再生手段３４２を備える。
【００３０】
情報格納手段３３２は、マルチメディア情報および当該マルチメディア情報の属性値を格納している。マルチメディア情報は、例えば、すでに説明した音楽情報である。属性値は音楽情報の属性値、すなわち、例えば、音楽のタイトルと曲番号である。処理手段３１２は、情報格納手段３３２が格納しているマルチメディア情報と当該マルチメディア情報の属性値を、インタフェース手段３１１、インタフェース手段３１２を介して読み出し、内部のＲＡＭに格納する。情報処理装置３１は、読み出したマルチメディア情報とマルチメディア情報の属性値を、それぞれ異なる装置に送信することができる。まず、マルチメディア情報の属性値を、第１無線通信手段３１１と第２無線通信手段３２１を介して、表示操作装置３２に送る。表示操作装置３２は、受け取ったマルチメディア情報の属性値を、ディスプレイ手段３２３上に表示する。すなわち、曲番号と音楽のタイトルが、曲目表の形で表示される。使用者が、曲目表を見て、表示操作装置３２上に設けられた入力手段３２２の操作ボタンにより、所望の曲番号を選択すると、入力手段３２２は、操作を解読し、選択された属性値を、第２無線通信手段３２１を介して、情報処理装置３１に送る。情報処理装置３１では、選択された属性値を、第１無線通信手段３１１により受信し、受信した属性値に対応する曲のマルチメディア情報を、ＲＡＭから取り出し、第１無線通信手段３１１を介して、音声再生装置３４に送る。音声再生装置３４は、送られてくるマルチメディア情報、すなわち、音楽信号のデジタルデータを、第３無線通信手段３４１において受信し、音声再生手段３４２により再生し、イヤフォンにより音響信号に変換する。使用者は選択した音楽を聞くことができる。
【００３１】
上記説明では、マルチメディア情報と当該マルチメディア情報の属性値とを、情報格納装置３３の情報格納手段３３２から一緒に読み出し、処理手段３１２に格納するようにしたが、最初にマルチメディア情報の属性値を情報格納手段３３２から読み出して、表示操作装置３２に送り、曲目が選択された後に、対応する曲目のマルチメディア情報を情報格納手段３３２から読み出すようにしてもよい。マルチメディア情報が多数の曲から成り、処理手段３１２内のＲＡＭのサイズに入りきらない場合、このように、選択された曲だけを読み出すようにすればよい。
【００３２】
インタフェース手段３３１、３１３を、無線通信手段とし、無線通信によりマルチメディア情報と当該マルチメディア情報の属性値を情報格納装置３３から情報処理装置３１が取得するようにしてもよい。
【００３３】
情報格納装置３３を、マルチメディア情報の販売ステーションに接続して、マルチメディア情報を購入した後、情報処理装置３１に接続して、マルチメディア情報を再生することもできる。
【００３４】
表示操作装置３２は、携帯電話装置に組み込んでもよい。携帯電話装置の表示部をディスプレイ手段３２３として使用し、電話用のボタンを入力手段３２２として使用することになる。
【００３５】
第１無線通信手段３１１が第３無線通信手段３４１に送信する音楽情報が、ＡＡＣ、ＭＰ３などの方式によりエンコードされたデータや独自の方式でエンコードされたデータである場合には、音声再生手段３４２には、それらの方式に対応したデコーダを内蔵する。第１無線通信手段３１１が第３無線通信手段３４１に送信する音楽情報が、ＡＡＣ、ＭＰ３などの方式からデコードされた、リニアＰＣＭなどのデータであれば、音声再生手段３４２には、デコーダはなくともよい。
【００３６】
なお、マルチメディア情報または／およびその属性値をデコードしたり、エンコードしたりする装置は、情報処理装置３１に限らず、表示操作装置３２や音声再生装置３４や、図示しない他の装置で行っても良い。
【００３７】
音声再生装置３４は、電気音響変換器として、イヤフォンの代わりに、ヘッドフォンや、スピーカを内蔵してもよい。
【００３８】
上記説明では、マルチメディア情報として音楽を再生する用途について説明したが、本発明の情報処理装置は、音楽以外の情報、たとえば、映画や番組の情報、テキストと音声情報を有する電子ブックの情報等の再生についても適用可能である。
【発明の効果】
以上のように、本発明によれば、
【００３９】
（１）小型の情報処理装置を持ち運ぶだけで、標準サイズのパソコンと同じ操作や処理を行うことができる。
【００４０】
（２）情報処理装置を所有者が手元に保管できるので、オフィスなどにおける盗難の危険性がない。
【００４１】
（３）情報処理装置と分離した情報格納装置を用いると、情報格納装置の増設が容易になる。また、情報格納装置のみを持ち歩き、情報を取得し、その後で、情報処理装置により、情報処理を行うような使い方もできる。
【００４２】
（４）情報処理装置を、音楽再生のようなマルチメディア情報の再生装置として使用することができる。
【図面の簡単な説明】
【図１】本発明の一実施形態による情報処理装置を含むシステムの外観構成図
【図２】本発明の一実施形態による情報処理装置を含むシステムの構成ブロック図
【図３】本発明の一実施形態による情報処理装置を含むシステムの外観構成図
【図４】本発明の一実施形態による情報処理装置を含むシステムの構成ブロック図
【図５】本発明の一実施形態による情報処理装置を含むシステムの外観構成図
【図６】本発明の一実施形態による情報処理装置を含むシステムの外観構成図
【符号の説明】
１０  ディスプレイ装置
１１、３１  情報処理装置
１２  入力装置
１３、３３  情報格納装置
１４  入力装置
３２  表示操作装置
３４  音声再生装置
【図１】
2004246634.tif 000003
【図２】
2004246634.tif 000004
【図３】
2004246634.tif 000005
【図４】
2004246634.tif 000006
【図５】
2004246634.tif 000007
【図６】
2004246634.tif 000008